(57)【要約】      （修正有）【課題】  購入者の固有情報と購入時の情報等を加味することで、購入者と関係する情報から、購入すべき数字を自動的に生成することが可能な数字選択式宝くじ用当せん番号選択装置を提供する。【解決手段】  複数の固有情報を表示部に表示し、購入すべき数字の候補を自動算出する際に使用する固有情報の種類を購入者に選択させる手段１と、前記購入者により入力された前記固有情報から、購入すべき数字の候補を少なくとも１個自動算出する手段２と、前記少なくとも１個の算出された購入すべき数字の候補を表示部に表示し、前記少なくとも１個の算出された購入すべき数字の候補の中から購入すべき数字を、前記購入者に選択させる手段３と備え、購入者固有な数字を選択し数字選択式宝くじを購入可能とする。【選択図】        図３ａ
2006085358.tif 000002
【特許請求の範囲】
【請求項１】
複数の固有情報を表示部に表示し、購入すべき数字の候補を自動算出する際に使用する固有情報の種類を購入者に選択させる手段１と、
前記購入者により入力された前記固有情報から、購入すべき数字の候補を少なくとも１個算出する手段２と、
前記少なくとも１個の算出された購入すべき数字の候補を表示部に表示し、前記少なくとも１個の算出された購入すべき数字の候補の中から購入すべき数字を、前記購入者に選択させる手段３と備えることを特徴とする数字選択式宝くじ用当せん番号選択装置。
【請求項２】
前記複数の固有情報は、生年月日、身長、体重、血液型、ＴＥＬ番号、日付／時刻、バイオリズム、４文字熟語であることを特徴とする請求項１に記載の数字選択式宝くじ用当せん番号選択装置。
【請求項３】
前記各固有情報毎に、所定の数字が対応づけられた固有情報別数字テーブルを有し、
前記手段２は、前記固有情報別数字テーブルに基づき、前記入力された固有情報を所定の数字に変換し、当該変換した数字に所定の演算を施して、購入すべき数字の候補を少なくとも１個算出することを特徴とする請求項１または請求項２に記載の数字選択式宝くじ用当せん番号選択装置。
【発明の詳細な説明】
【技術分野】
【０００１】
本発明は、数字選択式宝くじ用当せん番号選択装置に係り、特に、購入者の固有情報から購入すべき数字を算出する数字選択式宝くじ用当せん番号選択装置に関する。
【背景技術】
【０００２】
最近の宝くじには、購入者自身が当り番号を予測して申し込みカードに記入し、この予測した番号が記入された宝くじを購入するといった数字選択式宝くじがある。この数字選択式宝くじを購入する際に、乱数発生手段により発生させた乱数を数字選択番号とする技術が知られている。（下記、特許文献１参照）
【０００３】
なお、本願発明に関連する先行技術文献としては以下のものがある。
【特許文献１】特開２００２−７４４４１号公報
【発明の開示】
【発明が解決しようとする課題】
【０００４】
購入者の固有情報に関係する数字で、数字選択式宝くじを購入できれば、購入者の利便性、購入意欲を高めることが可能である。
しかしながら、前述特許文献１に記載されている技術は、乱数発生手段により発生させた乱数を数字選択番号とするものであり、購入者と関係する情報から、購入すべき数字を自動的に生成するものではない。
本発明の目的は、購入者の固有情報と購入時の情報等を加味することで、購入者と関係する情報から、購入すべき数字を自動的に生成することが可能な数字選択式宝くじ用当せん番号選択装置を提供することにある。
本発明の前記ならびにその他の目的と新規な特徴は、本明細書の記述及び添付図面によって明らかにする。
【課題を解決するための手段】
【０００５】
本願において開示される発明のうち、代表的なものの概要を簡単に説明すれば、下記の通りである。
即ち、本発明は、複数の固有情報（例えば、生年月日、身長、体重、血液型、ＴＥＬ番号、日付／時刻、バイオリズム、４文字熟語等）を表示部に表示し、購入すべき数字の候補を自動算出する際に使用する固有情報の種類を購入者に選択させる手段１と、前記購入者により入力された前記固有情報から、購入すべき数字の候補を少なくとも１個自動算出する手段２と、前記少なくとも１個の算出された購入すべき数字の候補を表示部に表示し、前記少なくとも１個の算出された購入すべき数字の候補の中から購入すべき数字を、前記購入者に選択させる手段３と備えることを特徴とする。
また、本発明では、前記各固有情報毎に、所定の数字が対応づけられた固有情報別数字テーブルを有し、前記手段２は、前記固有情報別数字テーブルに基づき、前記入力された固有情報を所定の数字に変換し、当該変換した数字に所定の演算を施して、購入すべき数字の候補を少なくとも１個算出することを特徴とする。
【発明の効果】
【０００６】
本願において開示される発明のうち代表的なものによって得られる効果を簡単に説明すれば、下記の通りである。
本発明によれば、購入者の固有情報に関係する数字にて宝くじを購入できる為、購入者の利便性、購入意欲が高まる。
また、購入者以外の宝くじを贈り物として使用する場合、送り先の固有情報により宝くじが購入出きるため記念としても宝くじ購入促進が期待できる。
【発明を実施するための最良の形態】
【０００７】
以下、図面を参照して本発明の実施例を詳細に説明する。
なお、実施例を説明するための全図において、同一機能を有するものは同一符号を付け、その繰り返しの説明は省略する。
図１は、本発明の実施例の数字選択式宝くじ用当せん番号選択装置１０１の概略構成を示すブロック図である。
図１において、１０１は数字選択式宝くじ用当せん番号選択装置、１０２は制御部、１０３は操作入力部、１０４は表示部、１０５は宝くじ券印字部、１０６は媒体入力部、１０７は接続部、１０９は記憶部、１１０は上位接続回線である。
購入者は、表示部１０４に表示される購入者固有情報入力選択画面４００に従い、操作入力部１０３により、希望の宝くじ購入方法を選択することで、宝くじ購入の旨を数字選択式宝くじ用当せん番号選択装置１０１に指示する。図５は、表示部１０４に表示される購入者固有情報入力選択画面４００の一例を示す図である。
購入者からの指示に従い、制御部１０２は、宝くじ購入処理を行う為の各情報を入力させるための誘導表示画面を表示部１０４に表示する。
購入者が、その誘導表示画面に従い、操作入力部１０３から情報入力を行うと、制御部１０２で処理され、記憶部１０９に記憶される。
宝くじ購入に必要な情報入力が終了すると、制御部１０２は、接続部１０７および上位回線１１０を介して上位装置に対して通知する。
【０００８】
通知した結果で、宝くじ券印字部１０５で、購入者が希望した宝くじ券を発行することで購入者が希望する宝くじを購入することができる。
また、購入者が、操作入力部１０３にて必要な情報を入力せず情報を記録したＯＣＲシートを媒体入力部１０６に挿入して入力する方法もある。その際は、媒体入力部１０６が受け付けたＯＣＲシートを読取、必要な情報を制御部１０２に伝達され処理し記憶部１０９に記録される。
なお、宝くじ券印字部１０５は、装置によってはない場合もあり、その場合には、代替えにより宝くじを購入した旨を印字するか、印字しない装置もある。
また、購入時の必要な情報入力は、操作入力部１０３にて行う以外に他装置からの受付を行う場合もある。
さらに、図１に示す装置は一例であって、本発明の数字選択式宝くじ用当せん番号選択装置は、現金自動取引装置等の装置において、数字選択式宝くじ用数字選択機能を持っている装置であって良い。
【０００９】
図２は、図１に示す制御部１０２の、数字選択式宝くじ用当せん番号選択処理のメインの処理手順を示すフローチャートである。
始めに、表示部１０４に、図５に示す購入者固有情報入力選択画面４００を表示する（ステップ２０１）。
購入者は、表示部１０４に表示された購入者固有情報入力選択画面４００に基づき、購入方法の指示を操作入力部１０３から行う。
購入方法指示が、図５に示すＱＰキー４０１の押下の場合（ステップ２０２）には、数字選択式宝くじ用当せん番号選択装置側で乱数発生による数字を算出し（ステップ２０５）、表示部１０４に、図１０に示す算出数字選択表示画面９００を表示し、算出数字を表示する（ステップ２０６）。図１０に示す算出数字選択表示画面９００では、算出数字Ａ（９０１）と、算出数字Ｂ（９０２）の２つが表示されている。
購入者が、希望する算出数字として、算出数字Ａ（９０１）と算出数字Ｂ（９０２）の中のいずれかの数字を選択すると、図１１に示す購入希望数字確認画面１０００を表示部１０４に表示し、購入者に対して、購入を希望した数字１００１を確認させる。図１１では、購入者が算出数字Ａを選択した場合を図示している。
【００１０】
購入者が、希望数字確認を行い、図１１に示す確認キー１００２を押下すると（ステップ２０７）、上位装置へ宝くじ発行の通知を行い（ステップ２０８）、上位装置よりの回答を待って、宝くじ券を、宝くじ券印字部１０５にて発行する（ステップ２１１）。これにより、購入者は、希望した数字から成る宝くじを購入することができる。
このＱＰキー４０１による数字は、数字選択式宝くじ用当せん番号選択装置１０１において乱数により算出した数字である。
また、購入する数字を、購入者自身で入力する場合は、図５に示す数字選択入力キー４０３を押下し（ステップ２０４）、購入者が、希望数字の入力を操作入力部１０３にて行う（ステップ２１０）。
次に、図１１に示す購入希望数字確認画面１０００を表示部１０４に表示し、購入者に対して、入力した数字を確認させる。
購入者が、希望数字確認を行い、図１１に示す確認キー１００２を押下すると（ステップ２０７）、上位装置へ宝くじ発行の通知を行い（ステップ２０８）、上位装置よりの回答を待って、宝くじ券を宝くじ券印字部１０５にて発行する（ステップ２１１）。これにより、購入者は、入力した数字から成る宝くじを購入することができる。
【００１１】
次に、本発明の特徴とする購入者の固有情報に基づく、宝くじの発行について説明する。
購入者が、固有情報に基づく宝くじの発行を希望する場合には、図５に示す購入者固有情報入力選択画面４００において、固有情報入力キー４０２を押下する（ステップ２０３）。この場合には、後述する固有情報入力処理フローを実施する（ステップ２０９）。
購入者が固有情報を入力した後、固有情報により数字を算出後、図１１に示す購入希望数字確認画面１０００を表示部１０４に表示し、購入者に対して、購入を希望した数字１００１を確認させる。
購入者が、希望数字確認を行い、図１１に示す確認キー１００２を押下すると（ステップ２０７）、上位装置へ宝くじ発行の通知（ステップ２０８）を行い、上位装置よりの回答を待って、宝くじ券を宝くじ券印字部１０５にて発行する（ステップ２１１）。これにより、購入者は、固有情報に関係する数字から成る宝くじを購入することができる。
【００１２】
次に、図２のステップ２０９に示す固有情報入力処理について説明する。
図３（ａ）、（ｂ）は、図２に示すステップ２０９の、固有情報入力処理の処理手順を示すフローチャートである。
始めに、購入者が希望する固有情報を選択させるために、図６に示す購入者固有情報入力画面１（５００）を、表示部１０４に表示する（ステップ２２１）。購入者は、操作入力部１０３により、固有情報項目を選択する。
図６に示す購入者固有情報入力画面１（５００）において、その他キー５０３が押下された場合（ステップ２２２）には、図７に示す購入者固有情報入力画面２（６００）を、表示部１０４に表示（ステップ２２５）し、その他の固有情報項目メニューを表示する。
購入者の固有情報を入力する必要のある生年月日キー５０５、身長キー５０６、体重キー５０７、血液型キー５０８、電話番号キー５０１、日付（記念日）キー５０２、氏名キー６０７等が押下された場合（ステップ２２３）には、当該入力情報を入力し（ステップ２２６）、入力した情報により数字変換する（ステップ２２７）。
そして、この固有情報に関係する変換数字と、入力固有情報を記憶部１０９に記憶する（ステップ２２８）。
【００１３】
この図７に示す購入者固有情報入力画面２（６００）において、特定の固有情報である職業キー６０５が押下された場合（ステップ２２４）には、職業を選択する購入者固有情報入力画面３（７００）を、表示部１０４に表示する（ステップ２２９）。
購入者が、購入者固有情報入力画面３（７００）において、職業別キー（７０１〜７０８）を押下することにより、職業を選択すると（ステップ２３０）、記憶部１０９に記憶されている職業別数字変換テーブルに基づき、選択した職業に対応する変換数字を算出し（ステップ２３１）、この職業別に関係する変換数字と入力固有情報を記憶部１０９に記憶する（ステップ２２８）。
図１２は、本実施例の職業別数字変換テーブルの一例を示す図であり、職業別数字変換テーブルには、各職業１１００毎に、変換数字１１０１が記述される。
また、図７に示す購入者固有情報入力画面２（６００）において、４文字熟語キー６０６が押下された場合（ステップ２３２）には、４文字熟語を選択する購入者固有情報入力画面４（８００）を、表示部１０４に表示する（ステップ２３３）。
購入者が、購入者固有情報入力画面４（８００）において、４文字熟語キー（８０１〜８０８）を押下することにより、４文字熟語を選択すると（ステップ２３４）、記憶部１０９に記憶されている４文字熟語数字変換テーブルに基づき、選択した４文字熟語に対応する変換数字を算出し（ステップ２３５）、この４文字熟語に関係する変換数字と入力固有情報を記憶部１０９に記憶する（ステップ２２８）。
図１３は、本実施例の４文字熟語数字変換テーブルの一例を示す図であり、４文字熟語数字変換テーブルには、各４文字熟語１２００毎に、変換数字１２０１が記述される。
【００１４】
また、図７に示す購入者固有情報入力画面２（６００）において、バイオリズムキー６０８が押下された場合（ステップ２４０）には、バイオリズムで必要な生年月日項目（図６に示す購入者固有情報入力画面１（５００）の生年月日キー５０５に対応する）が入力済であるかの判定し（ステップ２４１）、入力済の場合、生年月日からバイオリズム１３００を算出する（ステップ２４２）。
この算出したバイオリズム１３００に基づき、図１４に示す最良日付１３０１を算出して数字変換し（ステップ２４３）、このバイオリズムに関係する変換数字と入力固有情報を記憶部１０９に記憶する（ステップ２２８）。
購入者は、希望する固有情報を複数選択し、入力した後、最後に終了キー５０９を押下する。
この終了キー５０９が押下された場合（ステップ２３６）には、購入者の固有情報に関係する数字から購入する候補の数字を算出し（ステップ２３７）、表示部１０４に、図１０に示す算出数字選択表示画面９００を表示し、算出した数字する（ステップ２３８）。
前述したように、図１０に示す算出数字選択表示画面９００では、算出数字Ａ（９０１）と、算出数字Ｂ（９０２）の２つが表示されている。
購入者が、希望する算出数字として、算出数字Ａ（９０１）と算出数字Ｂ（９０２）の中のいずれかの数字を選択すると（ステップ２３９）、図１１に示す購入希望数字確認画面１０００を表示部１０４に表示し、購入者に対して、購入を希望した数字を確認させる。
購入者が、希望数字確認を行い、図１１に示す確認キー１００２を押下すると（ステップ２０７）、上位装置へ宝くじ発行の通知を行い（ステップ２０８）、上位装置よりの回答を待って、宝くじ券を宝くじ券印字部１０５にて発行する（ステップ２１１）。これにより、購入者は、固有情報に関係する数字から成る宝くじを購入することができる。
【００１５】
図４は、図３（ａ）に示すステップ２３７の、購入者固有情報から関係する数字を算出する処理の処理手順を示すフローチャートである。
購入者が入力した固有情報項目が１項目のみの場合（ステップ３０１）、関係付けが単純となるため、図１５に示す特殊コードＡ（１４００）、特殊コードＢ（１４０１）を使用し、固有情報数字と特殊コードＡ（１４００）とを掛算して、購入数字Ａ（または、算出数字Ａ）を算出する（ステップ３０２）。また、固有情報数字を特殊コードＢ（１４０１）で割算して購入数字Ｂ（または、算出数字Ｂ）を算出する（ステップ３０３）。
購入者が、固有情報項目を１項目以上入力している場合（ステップ３０１）には、固有情報数字と他固有情報数字とを掛算して、購入数字Ａ（または、算出数字Ａ）を算出する（ステップ３０４）。また、固有情報数字を他固有情報数字で割算して、購入数字Ｂ（または、算出数字Ｂ）を算出する（ステップ３０５）。
なお、前述の説明では、掛算、割算で行っているが、他の方法に変更しても良く、購入者の固有情報から関係する数字が算出されればよい。
さらに、数字の算出を、Ａ，Ｂの２種類算出したが、それ以上更に追加しても良い。
以上説明したように、本実施例によれば、購入者の固有情報に関係する数字にて宝くじを購入できる為、購入者の利便性、購入意欲が高まる。
また、購入者以外の宝くじを贈り物として使用する場合、送り先の固有情報により宝くじが購入出きるため記念としても宝くじ購入促進が期待できる。
さらに、宝くじ購入する際、購入者の固有情報と関係する情報から当り数字を自動的に予測して、購入者の意思決定を補助することが可能となる。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００１６】
【図１】本発明の実施例の数字選択式宝くじ用当せん番号選択装置の概略構成を示すブロック図である。
【図２】図１に示す制御部の、数字選択式宝くじ用当せん番号選択処理のメインの処理手順を示すフローチャートである。
【図３ａ】図２のステップ２０９に示す固有情報入力処理の処理手順を示すフローチャートである。
【図３ｂ】図２に示すステップ２０９の、固有情報入力処理の処理手順を示すフローチャートである。
【図４】図３（ａ）に示すステップ２３７の、購入者固有情報から関係する数字を算出する処理の処理手順を示すフローチャートである。
【図５】図１に示す表示部に表示される購入者固有情報入力選択画面を示す図である。
【図６】図１に示す表示部に表示される購入者固有情報入力画面１を示す図である。
【図７】図１に示す表示部に表示される購入者固有情報入力画面２を示す図である。
【図８】図１に示す表示部に表示される購入者固有情報入力画面３を示す図である。
【図９】図１に示す表示部に表示される購入者固有情報入力画面４を示す図である。
【図１０】図１に示す表示部に表示される算出数字選択表示画面を示す図である。
【図１１】図１に示す表示部に表示される購入希望数字確認画面を示す図である。
【図１２】図１に示す記憶部に記憶されている職業別数字変換テーブルを示す図である。
【図１３】図１に示す記憶部に記憶されている４文字熟語数字変換テーブルを示す図である。
【図１４】バイオリズム最良日付を説明するための図である。
【図１５】本発明の実施例において使用される特殊コードを説明するための図である。
【符号の説明】
【００１７】
１０１  数字選択式宝くじ用当せん番号選択装置
１０２  制御部
１０３  操作入力部
１０４  表示部
１０５  宝くじ券印字部
１０６  媒体入力部
１０７  接続部
１０９  記憶部
１１０  上位接続回線
４００  購入者固有情報入力選択画面
４０１  ＱＰキー
４０２  固有情報入力キー
４０３  数字選択入力キー
５００  購入者固有情報入力画面１
５０１〜５０８，６０１〜６０４  固有情報項目キー
５０９  終了キー
６００  購入者固有情報入力画面２
６０５  職業キー
６０６  ４文字熟語キー
６０７  氏名キー
６０８  バイオリズムキー
７００  購入者固有情報入力画面３
７０１〜７０８  職業別キー
８００  購入者固有情報入力画面４
８０１〜８０８  各４文字熟語キー
９００  算出数字選択表示画面
９０１  算出数字Ａ表示部分
９０２  算出数字Ｂ表示部分
１０００  購入希望数字確認画面
１００１  購入希望した数字表示部分
１００２  購入希望確認キー
１１００  各職業データ
１１０１  各職業データ変換数字データ
１２００  ４文字熟語データ
１２０１  ４文字熟語変換数字データ
１３００  バイオリズム身体データグラフ
１３０１  バイオリズム最良ポイント日付
１４００  特殊コードＡデータ
１４０１  特殊コードＢデータ
【図１】
2006085358.tif 000003
【図２】
2006085358.tif 000004
【図３ａ】
2006085358.tif 000005
【図３ｂ】
2006085358.tif 000006
【図４】
2006085358.tif 000007
【図５】
2006085358.tif 000008
【図６】
2006085358.tif 000009
【図７】
2006085358.tif 000010
【図８】
2006085358.tif 000011
【図９】
2006085358.tif 000012
【図１０】
2006085358.tif 000013
【図１１】
2006085358.tif 000014
【図１２】
2006085358.tif 000015
【図１３】
2006085358.tif 000016
【図１４】
2006085358.tif 000017
【図１５】
2006085358.tif 000018